(57)【要約】【課題】部品点数を削減しつつ複数のレンズと接眼枠を容易に組み立てでき、かつレンズの歪みを抑制できるファインダ装置を提供すること。【解決手段】複数のレンズと、レンズを保持する第１、２の筐体と、接眼枠を備え、第１の筐体は、レンズの位置決め部と、レンズを撮影光軸に垂直な方向に付勢する第１の弾性部を有し、第２の筐体は、レンズを第１の弾性部の付勢力と光軸に対して垂直な方向に付勢する第２の弾性部と、接眼枠を付勢する第３の弾性部を有し、レンズは、樹脂成形され、光軸に垂直な平面において略長方形であり、光軸方向の厚みが略長方形の短辺の長さより小さく、第１、２の弾性部に付勢される第１、２の突起部を有し、第２の突起部は、第２の弾性部の付勢力を光軸に平行な方向と垂直な方向の付勢力に分割する斜面により構成され、レンズの短辺側への付勢力は長辺側への付勢力より小さく、光軸に平行な方向の付勢力より大きいことを特徴とする。【選択図】図２
2017146324.tif 000002
【特許請求の範囲】
【請求項１】
複数のレンズ（３０１、３０３）と、
前記複数のレンズ（３０１、３０３）を保持する第１（２０６）、第２の筐体（２１５）と、
接眼枠（２１６）と、を備える撮像装置（１０１）のファインダ（２００）において、
前記第１の筐体（２０６）は、前記複数のレンズ（３０１、３０３）を撮影光軸に平行な方向と、撮影光軸に垂直な二方向に位置を決めるための位置決め部（３０１ｘ、３０１ｙ、３０１ｚ、３０３ｘ、３０３ｙ、３０３ｚ）と、前記複数のレンズ（３０１、３０３）をそれぞれ撮影光軸に垂直な方向に付勢する複数の第１の弾性部（４０１ａ、４０３ａ）を有し、
前記第２の筐体（２１５）は、前記複数のレンズ（３０１、３０３）をそれぞれ前記第１の弾性部（４０１ａ、４０３ａ）による付勢力と撮影光軸の二方向に対して垂直な方向に付勢する複数の第２の弾性部（５０１ｂ、５０１ｂ）と、前記接眼枠（２１６）を付勢する第３の弾性部（５０５）を有し、
前記複数のレンズ（３０１、３０３）は、樹脂材料により成形され、撮影光軸に垂直な平面において長方形であり、撮影光軸方向の厚みが長方形の短辺の長さより小さく、前記第１の弾性部（４０１ａ、４０３ａ）により付勢されるための第１の突起部（３０１ａ、３０３ａ）と、前記第２の弾性部（５０１ｂ、５０１ｂ）により付勢されるための第２の突起部（３０１ｂ、３０３ｂ）とを有し、
前記第２の突起部（３０１ｂ、３０３ｂ）は、前記第２の弾性部（５０１ｂ、５０１ｂ）の付勢力を撮影光軸に平行な方向の付勢力と撮影光軸に垂直な方向の付勢力に分割する斜面により構成され、
レンズの長方形の長辺側への付勢力は、レンズの短辺側への付勢力より大きく、
レンズの長方形の短辺側への付勢力は、前記第２の弾性部の撮影光軸に平行な方向の付勢力より大きいことを特徴とするファインダ装置（２００）。
【請求項２】
前記第２の突起部（３０１ｂ、３０３ｂ）はレンズ有効面（３０１ｃ、３０３ｃ）外に位置し、
前記第２の筐体（２１５）は撮影光軸に垂直な方向にレンズの移動を規制する突起部（５０１ａ、５０３ａ）を有することを特徴とする請求項１に記載のファインダ装置（２００）。
【発明の詳細な説明】
【技術分野】
【０００１】
本発明は、ファインダ装置及びそれを用いた撮像装置に関し、特にファインダ装置に用いられるレンズと接眼枠の保持構造に関する。
【背景技術】
【０００２】
従来、カメラ等の撮像装置には、被写体像を撮影者が観察するためのファインダ装置が備えられている。ファインダ装置は複数のレンズ群からなる光学ユニットと接眼枠を有しており、レンズ群は製造工程での組立性向上のために弾性部材により固定される。また、接眼枠はレンズ群より撮影者側に配置され、接眼枠には視度を補正するためのアクセサリ等が取り付けられる。接眼枠に撮影者が触れることで接眼枠の位置がずれるとファインダ表示の異常に繋がるため、接眼枠は強固に取り付けられる必要がある。
【０００３】
特許文献１には、レンズホルダに光軸方向の前後からレンズを当接し、押さえバネによりレンズの光軸方向の位置決めを行うファインダ装置が開示されている。
【０００４】
特許文献２には、ファインダの筐体に接眼レンズを係留し、ファインダ光軸方向へ付勢する第１のばね部と、接眼レンズをファインダ光軸に垂直な二方向へ付勢する第２、第３のばね部を有するファインダ装置が開示されている。
【先行技術文献】
【特許文献】
【０００５】
【特許文献１】特開２００４−２１９４９８号公報
【特許文献２】特開２０１５−１０２８２１号公報
【発明の概要】
【発明が解決しようとする課題】
【０００６】
しかしながら、上述の特許文献１では、レンズを押圧保持する部材が追加で必要となる。また、レンズをファインダ光軸方向のみに付勢して固定するため、レンズが歪んでしまう可能性がある。
【０００７】
特許文献２では、ファインダ装置の筐体にばね部を有するため、追加部材が不必要であるが、保持するレンズが接眼レンズに限定されてしまう。
【０００８】
そこで、本発明の目的は、部品点数を削減しつつ複数のレンズと接眼枠を容易に組み立てることが可能であり、かつレンズの歪みを抑制することを可能にしたファインダ装置を提供することにある。
【課題を解決するための手段】
【０００９】
上記の目的を達成するために、本発明に係るファインダ装置は、
複数のレンズと、
前記複数のレンズを保持する第１、第２の筐体と、
接眼枠と、を備える撮像装置のファインダにおいて、
前記第１の筐体は、前記複数のレンズを撮影光軸に平行な方向と、撮影光軸に垂直な二方向に位置を決めるための位置決め部と、前記複数のレンズをそれぞれ撮影光軸に垂直な方向に付勢する複数の第１の弾性部を有し、
前記第２の筐体は、前記複数のレンズをそれぞれ前記第１の弾性部による付勢力と撮影光軸の二方向に対して垂直な方向に付勢する複数の第２の弾性部と、前記接眼枠を付勢する第３の弾性部を有し、
前記複数のレンズは、樹脂材料により成形され、撮影光軸に垂直な平面において略長方形であり、撮影光軸方向の厚みが略長方形の短辺の長さより小さく、前記第１の弾性部により付勢されるための第１の突起部と、前記第２の弾性部により付勢されるための第２の突起部とを有し、
前記第２の突起部は、前記第２の弾性部の付勢力を撮影光軸に平行な方向の付勢力と撮影光軸に垂直な方向の付勢力に分割する斜面により構成され、
レンズの略長方形の長辺側への付勢力は、レンズの短辺側への付勢力より大きく、
レンズの略長方形の短辺側への付勢力は、前記第２の弾性部の撮影光軸に平行な方向の付勢力より大きいことを特徴とする。
【発明の効果】
【００１０】
本発明によれば、部品点数を削減しつつ複数のレンズと接眼枠を容易に組み立てることが可能であり、かつレンズの歪みを抑制することを可能にしたファインダ装置を提供することができる。
【図面の簡単な説明】
【００１１】
【図１】本実施例におけるカメラシステムの構成を示す概略断面図である。
【図２】本実施例におけるファインダユニットの断面図である。
【図３】本実施例におけるファインダユニットの分解斜視図である。
【図４】本実施例における第１レンズの斜視図である。
【図５】本実施例における第３レンズの斜視図である。
【図６】本実施例におけるファインダベースの斜視図である。
【図７】図７中のＡ部の拡大図である。
【図８】図７中のＢ部の拡大図である。
【図９】本実施例における上蓋部材の斜視図である。
【図１０】本実施例におけるファインダベースに第１レンズ、第３レンズ、接眼枠、上蓋部材を取り付ける手順を示した斜視図である。
【図１１】図１１中のＡ−Ａ断面図である。
【図１２】図１２中のＣ−Ｃ断面図である。
【図１３】図１１中のＢ−Ｂ断面図である。
【図１４】図１３中のＤ−Ｄ断面図である。
【発明を実施するための形態】
【００１２】
以下に、本発明の好ましい実施の形態を、添付の図面に基づいて詳細に説明する。
【実施例１】
【００１３】
本発明の実施形態の一例として、デジタル一眼レフカメラの構成について図１を参照しながら説明する。以降各図中に示されるＸ、Ｙ、Ｚの各方向は、撮影光軸方向をＺ軸とし、Ｚ軸に垂直な平面中にあり、それぞれ直角な方向をＸ、Ｙ軸として定義している。
【００１４】
図１は本実施形態におけるカメラシステムの構成を示す概略断面図であり、カメラ本体（撮像装置）１０１と、カメラ本体１０１に着脱可能に装着される撮影レンズ１０２とを有している。撮影レンズ１０２内には、撮影光学系１０３及び露光量を調節するための絞り１０４が設けられている。撮影光学系１０３は図１中で１枚のレンズとして表されているが、実際は複数のレンズ群からなる光学系である。
【００１５】
撮影レンズ１０２は、公知のマウント機構を介してカメラ本体１０１に電気的、機械的に接続される。焦点距離の異なる撮影レンズ１０２をカメラ本体１０１に装着することによって、様々な画角の撮影画面を得ることが可能である。また、撮影レンズ１０２では、不図示の駆動機構を介して撮影光学系１０３の一部の要素であるフォーカスレンズをＺ方向に移動させることで、撮影光学系１０３の焦点調節を行う。
【００１６】
本実施例で説明するカメラは、ＣＣＤあるいはＣＭＯＳセンサなどの撮像素子１０５を用いたデジタルカメラであり、撮像素子１０５を単発的または連続的に駆動して、静止画像または動画像の画像信号を得る。撮像素子１０５により得られた動画像、静止画像は、カメラ本体１０１の背面に設けられたディスプレイ１０６に表示することで、撮影者は撮影結果を確認できる。
【００１７】
また、撮影光学系１０３から撮像素子１０５に至る光路中には、撮像素子１０５上に被写体像の必要以上に高い空間周波数成分が伝達されないように撮影光学系１０３のカットオフ周波数を制限する光学ローパスフィルタ１０７が設けられている。光学ローパスフィルタ１０７の前に設けられた１０８は撮像素子１０５に入射する光量を調節するフォーカルプレーンシャッタで、複数の遮光羽根で構成された先幕と後幕を有する。
【００１８】
１０９は可動型のハーフミラーであり、撮影光学系１０３を通して入射する光束のうち一部を反射させるとともに、残りを透過させることで、１つの光路を２つの光路に分割する。ハーフミラー１０９の先には可動型のサブミラー１１０（全反射ミラー）が設けられており、ハーフミラー１０９を透過した光束を反射させて焦点検出ユニット１１１に導いている。焦点検出ユニット１１１は、サブミラー１１０にて反射された光束を受光して位相差検出方式による焦点検出を行う。ハーフミラー１０９及びサブミラー１１０は、撮影時には光路から退避する。
【００１９】
ハーフミラー１０９によって分割された光路のうち、図１中Ｙ方向へ折り曲げられた光は、ファインダユニット（ファインダ装置）２００へ入射する。図１中の点線で囲んだ範囲がファインダユニット２００である。ファインダユニット２００に入射した光はフォーカシングスクリーン２０１上に結像する。フォーカシングスクリーン２０１に結像した像は、ペンタダハミラー２０２を介して向きを変えられ、複数のレンズからなるファインダ光学系２０３を介して撮影者が確認することができる。
【００２０】
２０４は被写体像外に特定の情報を表示させるための光学ファインダ内の情報表示ユニットである。２０５は特定の情報を被写体像にスーパーインポーズさせて表示するための拡散型液晶パネルである。
【００２１】
図２、図３は本発明の実施形態である一眼レフカメラに備えられているファインダユニット２００の構成を説明するための図である。図２は上記ファインダユニット２００のＹＺ平面に関する断面図であり、図３は分解斜視図である。
【００２２】
２０６はファインダ光学系２０３を保持するファインダベース（第１の筐体）である。ファインダベース２０６は樹脂成形により作製され、各部材を取り付けるための構造が形成されているが、詳細は後述する。
【００２３】
２０７はフォーカシングスクリーン２０１を保持するＦＳベースである。ＦＳベース２０７は不図示のビスでファインダベース２０６に固定される。
【００２４】
２０８はフォーカシングスクリーン２０１をＦＳベース２０７に保持するＦＳバネである。
【００２５】
２０９は視野枠であり、フォーカシングスクリーン２０１からペンタダハミラー２０２を介してファインダ光学系２０３に入射するファインダ光束のサイズを規制し、撮像素子１０５にて得られる画像のサイズと略一致させるためのものである。
【００２６】
２１０は不図示のＬＥＤの光を導光し、拡散型液晶パネル２０５を照射するためのライトガイドである。
【００２７】
２１１は情報表示ユニット２０４から射出された光束をペンタダハミラー２０２の方向に反射させるためのプリズムである。
【００２８】
３０１、３０２、３０３、３０４はファインダ光学系２０３を構成するレンズであり、それぞれペンタダハミラー２０２から近い順に、第１、第２、第３、第４レンズと呼称する。
【００２９】
第２レンズ３０２はいわゆる視度調整レンズであり、Ｚ方向に移動することでファインダ光学系２０３の視度（結像位置）を調整することができる。
【００３０】
第１レンズ３０１、第３レンズ３０３、第４レンズ３０４は、ファインダベース２０６に直接取り付けられる。
【００３１】
第１レンズ３０１及び第３レンズ３０３は後述するファインダベース２０６及び上蓋部材２１５から付勢させることにより固定される。
【００３２】
第４レンズ３０４の固定方法に関する詳細な説明は省略するが、接着剤によりファインダベース２０６に固定される。
【００３３】
第２レンズ３０２は第２レンズ保持部材２１２を介して、ファインダベース２０６に取り付けられる。第２レンズ保持部材２１２の構造に関する説明は省略するが、視度補正機構２１３によりＺ方向にスライド可能な構成となっている。
【００３４】
２１４はマスクであり、不要光をカットしてファインダ内のゴーストの発生を抑制する。
【００３５】
２１５は上蓋部材（第２の筐体）であり、ファインダベース２０６同様に樹脂成形によって作製される部材で、ファインダベース２０６に不図示のビスで固定される。
【００３６】
２１６は接眼枠であり、ファインダベース２０６に対して取り付けられる。
【００３７】
第４レンズ３０４には口の字状の枠部３０４ａがあり、これと対応するように接眼枠２１６には口の字状の溝部２１６ａがある。ファインダベース２０６に対して接眼枠２１６が取り付けられたとき、第４レンズ３０４の口の字状枠部３０４ａと接眼枠２１６の口の字状溝部２１６ａが嵌め合う。これにより第４レンズ３０４と接眼枠２１６の隙間から塵芥や液滴がファインダユニット２００内部へ侵入することを防いでいる。接眼枠２１６にはファインダの視度を調整するための視度補正レンズやアングルファインダなどのアクセサリが取り付け可能である。
【００３８】
図４は第１レンズ３０１の詳細を示す斜視図である。図４（ａ）は第１レンズを被写体側から見た斜視図、図４（ｂ）は第１レンズを撮影者側から見た斜視図である。
【００３９】
第１レンズ３０１は、樹脂の成形により作製される。中心には略球面形状のレンズ有効面３０１ｃが形成される。概形はＹ方向よりＸ方向の辺が長い略長方形である。これはレンズの有効面が略長方形であるためである。また、第１レンズ３０１のＺ方向の厚みはＸ方向の辺の長さより小さい。第１レンズ３０１にはファインダベース２０６との位置決めのため、Ｘ方向位置決め部３０１ｘ、Ｙ方向位置決め部３０１ｙ、Ｚ方向位置決め部３０１ｚがある。
【００４０】
３０１ａはファインダベース２０６からＸ方向に付勢力を受ける突起部（第１の突起部）である。３０１ｂは上蓋部材２１５から付勢力を受ける突起部（第２の突起部）であり、レンズ有効面３０１ｃ外に配置され、ＸＺ平面に対しＸ軸まわりに角度を有しているが、詳細は後述する。
【００４１】
図５は第３レンズ３０３の詳細を示す斜視図である。図５（ａ）は第３レンズを被写体側から見た斜視図、図５（ｂ）は第３レンズを撮影者側から見た斜視図である。
【００４２】
第３レンズ３０３は、樹脂の成形により作製される。中心には略球面形状のレンズ有効面３０３ｃが形成される。概形はＹ方向よりＸ方向の辺が長い略長方形である。これはレンズの有効面が略長方形であるためである。また、第３レンズ３０３のＺ方向の厚みはＸ方向の辺の長さより小さい。第３レンズ３０３にはファインダベース２０６との位置決めのため、Ｘ方向位置決め部３０３ｘ、Ｙ方向位置決め部３０３ｙ、Ｚ方向位置決め部３０３ｚがある。
【００４３】
３０３ａはファインダベース２０６からＸ方向に付勢力を受ける突起部（第１の突起部）である。３０３ｂは上蓋部材２１５から付勢力を受ける突起部（第２の突起部）であり、レンズ有効面３０３ｃ外に配置され、ＸＺ平面に対しＸ軸まわりに角度を有しているが、詳細は後述する。
【００４４】
図６はファインダベース２０６の斜視図である。
【００４５】
ファインダベース２０６には、第１レンズ３０１と第３レンズ３０３の位置決めを行うための位置決め部がある。また、第１レンズ３０１の突起部３０１ａを付勢する弾性部４０１ａと、第３レンズ３０３の突起部３０３ａを付勢する弾性部４０３ａを有する（第１の弾性部）。突起部３０１ａを付勢する弾性部４０１ａと突起部３０３ａを付勢する弾性部４０３ａは、片持ち梁構造の板ばねである。４０５は接眼枠２１６と当接する接眼枠受け部である。
【００４６】
図７は図６におけるＡ部の拡大図である。
【００４７】
４０１ｘは第１レンズ３０１のＸ方向の位置を決める位置決め部である。Ｘ方向の位置決め部４０１ｘは図７中では１ヶ所のみを示しているが、実際は光軸に対して反対側にも配置され、第１レンズ３０１のＸ方向の位置決め部３０１ｘと微小な隙間を有する嵌合関係となっている。
【００４８】
４０１ｙは第１レンズ３０１のＹ方向の位置を決める位置決め部である。Ｙ方向の位置決め部４０１ｙは図７中では１ヶ所のみを示しているが、実際は光軸に対して反対側にも配置され、第１レンズ３０１のＹ方向の位置決め部３０１ｙが当接することにより、第１レンズの位置を決めている。
【００４９】
４０１ｚは第１レンズ３０１のＺ方向の位置を決める位置決め部である。Ｚ方向の位置決め部４０１ｚは図７中では４ヶ所のみを示しているが、実際は光軸に対して反対側にも配置され、計８ヶ所で位置を決めている。Ｚ方向の位置決め部４０１ｚは第１レンズ３０１のＺ方向の位置決め部３０１ｚと微小な隙間を有する嵌合関係となっている。
【００５０】
図８は図６におけるＢ部の拡大図である。
【００５１】
４０３ｘは第３レンズ３０３のＸ方向の位置を決める位置決め部である。Ｘ方向の位置決め部４０３ｘは図８中では１ヶ所のみを示しているが、実際は光軸に対して反対側にも配置され、第３レンズ３０３のＸ方向の位置決め部３０３ｘと微小な隙間を有する嵌合関係となっている。
【００５２】
４０３ｙは第３レンズ３０３のＹ方向の位置を決める位置決め部である。Ｙ方向の位置決め部４０３ｙは図８中では１ヶ所のみを示しているが、実際は光軸に対して反対側にも配置され、第３レンズ３０３のＹ方向の位置決め部３０３ｙが当接することにより、第３レンズの位置を決めている。
【００５３】
４０３ｚは第３レンズ３０３のＺ方向の位置を決める位置決め部である。Ｚ方向の位置決め部４０３ｚは図８中では４ヶ所のみを示しているが、実際は光軸に対して反対側にも配置され、計８ヶ所で位置を決めている。Ｚ方向の位置決め部４０３ｚは第３レンズ３０３のＺ方向の位置決め部３０３ｚと微小な隙間を有する嵌合関係となっている。
【００５４】
図９は上蓋部材２１５の斜視図である。
【００５５】
５０１ａはファインダユニット２００に外力がかかった際に、第１レンズ３０１の位置が大きくずれることを防ぐための位置規制の突起部である。５０１ｂは第１レンズ３０１の突起部３０１ｂをＹ方向に付勢する片持ち梁構造の板ばね形状をした弾性部（第２の弾性部）である。
【００５６】
５０３ａはファインダユニット２００に外力がかかった際に、第３レンズ３０３の位置が大きくずれることを防ぐための位置規制の突起部である。５０３ｂは第３レンズ３０３の突起部３０３ｂをＹ方向に付勢する片持ち梁構造の板ばね形状をした弾性部（第２の弾性部）である。５０５は接眼枠をＹ方向に付勢するための弾性部（第３の弾性部）である。
【００５７】
ここから、ファインダベース２０６に対し、第１レンズ３０１、第３レンズ３０３、接眼枠２１６を取り付ける詳細な手順と固定するための構成について説明する。なお、上記以外のファインダユニット２００を構成する部品の取り付け構成の詳細は省略する。
【００５８】
まず、図１０（ａ）に示すようにファインダベース２０６に、Ｙ方向から第１レンズ３０１、第３レンズ３０３を挿入する。その後、Ｚ方向から接眼枠２１６が取り付けられる。接眼枠２１６はファインダベース２０６に不図示のビスによって固定される。最後に、上蓋部材２１５がＹ方向からファインダベースに取り付けられる。
【００５９】
図１０（ｂ）はファインダベースに第１レンズ３０１、第３レンズ３０３、接眼枠２１６、上蓋部材２１５が取り付けられた後の側面図である。接眼枠２１６はファンダベース２０６の接眼枠受け部４０５に当接し、上蓋部材２１５の弾性部５０５から付勢される。これにより、上蓋部材２１５をファインダベース２０６に固定すると、接眼枠２１６も固定される。ゆえに、接眼枠２１６の固定部材（本実施例では不図示のビス）の数を削減することができる。
【００６０】
次に第１レンズ３０１の固定方法について説明する。
【００６１】
図１１は図１０（ｂ）におけるＡ−Ａ断面である。先述の通り、第１レンズＸ方向位置決め部３０１ｘとファインダベース２０６のＸ方向位置決め部４０１ｘは、それぞれ嵌合関係となっているため、数十μｍ程度の微小な隙間が存在する。第１レンズ３０１はファインダベース２０６の弾性部４０１ａによりＸ方向に付勢されることにより、弾性部４０１ａと対向するＸ方向位置決め部４０１ｘに当接される。これにより第１レンズ３０１のＸ方向の位置が規制される。
【００６２】
また、第１レンズ３０１はＹ方向の突起部３０１ｂで上蓋部材２１５の弾性部５０１ｂによりＹ方向に付勢される。図１２は図１１におけるＣ−Ｃ断面である。Ｙ方向の突起部３０１ｂは先述の通り、ＸＺ平面に対しＸ軸まわりに角度を有しているため、上蓋部材２１５の弾性部５０１ｂによりＹ方向に付勢された力はＹ方向とＺ方向に分割される。Ｙ方向分力により、第１レンズ３０１のＹ方向位置決め部３０１ｙがファインダベース２０６のＹ方向位置決め部４０１ｙに当接する。これにより第１レンズ３０１のＹ方向の位置が規制される。また、Ｚ方向分力により、第１レンズ３０１のＺ方向位置決め部３０１ｚがファインダベース２０６のＺ方向位置決め部４０１ｚに当接する。これにより第１レンズ３０１のＺ方向の位置が規制される。
【００６３】
ここで、第１レンズ３０１のＹ方向の突起部３０１ｂのＸ軸周りの角度は、上蓋部材２１５の弾性部５０１ｂの付勢力をＹ方向分力がＺ方向分力より大きくなるように分割する角度になっている。また、ファインダベース２０６の弾性部４０１ａは、付勢力が上蓋部材２１５の弾性部５０１ｂのＹ方向分力より大きくなる形状となっている。すなわち、第１レンズ３０１にかかる付勢力は、Ｘ方向の付勢力＞Ｙ方向の付勢力（分力）＞Ｚ方向の付勢力（分力）となる。第１レンズ３０１の概略形状は先述の通り、Ｘ方向の長さ＞Ｙ方向の長さ＞Ｚ方向の長さとなっているため、断面２次モーメントはＸ方向＞Ｙ方向＞Ｚ方向となる。ゆえに、先述のように付勢力を各方向の断面２次モーメントの大きさに応じて変えることにより、第１レンズ３０１が付勢力により変形することを抑制できる。また、第１レンズ３０１のＹ方向の突起部３０１ｂはレンズ有効面３０１ｃ外に配置されているため、付勢力によりレンズ有効面３０１ｃが変形することを抑制できる。
【００６４】
上蓋部材２１５の突起部５０１ａはファンダユニット２００が組み立てられた状態で、第１レンズ３０１とＹ方向の隙間が微小になる位置に設けられている。これにより、第１レンズ３０１に上蓋部材２１５からの付勢力より大きな外力が加わった場合でも、Ｙ方向に大きく位置がずれすることがなく、外力が除去された後に上蓋部材２１５からの付勢力により元の位置に戻ることが可能である。
【００６５】
次に第３レンズ３０３の固定方法について説明する。なお、第３レンズ３０３の固定方法は第１レンズ３０１の固定方法と類似している。
【００６６】
図１３は図１０（ｂ）におけるＢ−Ｂ断面である。先述の通り、第３レンズＸ方向位置決め部３０３ｘとファインダベース２０６のＸ方向位置決め部４０３ｘは、それぞれ嵌合関係となっているため、数十μｍ程度の微小な隙間が存在する。第３レンズ３０３はファインダベース２０６の弾性部４０３ａによりＸ方向に付勢されることにより、弾性部４０３ａと対向するＸ方向位置決め部４０３ｘに当接される。これにより第３レンズ３０３のＸ方向の位置が規制される。
【００６７】
また、第３レンズ３０３はＹ方向の突起部３０３ｂで上蓋部材２１５の弾性部５０３ｂによりＹ方向に付勢される。図１４は図１３におけるＣ−Ｃ断面である。Ｙ方向の突起部３０３ｂは先述の通り、ＸＺ平面に対しＸ軸まわりに角度を有しているため、上蓋部材２１５の弾性部５０３ｂによりＹ方向に付勢された力はＹ方向とＺ方向に分割される。Ｙ方向分力により、第３レンズ３０３のＹ方向位置決め部３０３ｙがファインダベース２０６のＹ方向位置決め部４０３ｙに当接する。これにより第３レンズ３０３のＹ方向の位置が規制される。また、Ｚ方向分力により、第３レンズ３０３のＺ方向位置決め部３０３ｚがファインダベース２０６のＺ方向位置決め部４０３ｚに当接する。これにより第３レンズ３０３のＺ方向の位置が規制される。
【００６８】
ここで、第３レンズ３０３のＹ方向の突起部３０３ｂのＸ軸周りの角度は、上蓋部材２１５の弾性部５０３ｂの付勢力をＹ方向分力がＺ方向分力より大きくなるように分割する角度になっている。また、ファインダベース２０６の弾性部４０３ａは、付勢力が上蓋部材２１５の弾性部５０３ｂのＹ方向分力より大きくなる形状となっている。すなわち、第３レンズ３０３にかかる付勢力は、Ｘ方向の付勢力＞Ｙ方向の付勢力（分力）＞Ｚ方向の付勢力（分力）となる。第３レンズ３０３の概略形状は先述の通り、Ｘ方向の長さ＞Ｙ方向の長さ＞Ｚ方向の長さとなっているため、断面２次モーメントはＸ方向＞Ｙ方向＞Ｚ方向となる。ゆえに、先述のように付勢力を各方向の断面２次モーメントの大きさに応じて変えることにより、第３レンズ３０３が付勢力により変形することを抑制できる。また、第３レンズ３０３のＹ方向の突起部３０３ｂはレンズ有効面３０３ｃ外に配置されているため、付勢力によりレンズ有効面３０３ｃが変形することを抑制できる。
【００６９】
上蓋部材２１５の突起部５０３ａはファンダユニット２００が組み立てられた状態で、第３レンズ３０３とＹ方向の隙間が微小になる位置に設けられている。これにより、第３レンズ３０３に上蓋部材２１５からの付勢力より大きな外力が加わった場合でも、Ｙ方向に大きく位置がずれすることがなく、外力が除去された後に上蓋部材２１５からの付勢力により元の位置に戻ることが可能である。
【００７０】
以上述べた通り、複数のレンズ（第１レンズ３０１と第３レンズ３０３）を固定するために、ファインダベース２０６に各レンズのＸ、Ｙ、Ｚ方向の位置決め部と各レンズをＸ方向に付勢するための弾性部を設けた。また、上蓋部材２１５に各レンズをＹ方向に付勢する弾性部と接眼枠を付勢する弾性部５０５を設けた。これにより、複数のレンズを接着剤やファインダユニットの筐体以外の追加部材を用いることなく固定することができ、接眼枠の固定部材を削減できる。また、レンズにかかる付勢力をレンズの形状に合わせて変えることにより、レンズの有効面の変形を抑制できる。
【００７１】
以上、本発明の好ましい実施形態について説明したが、本発明はこれらの実施形態に限定されず、その要旨の範囲内で種々の変形及び変更が可能である。尚、ファインダ光学系としては３０１、３０２、３０３、３０４の他にレンズを含む構成であっても良いし、レンズの数が４枚より少ない構成でも良い。
【符号の説明】
【００７２】
１０１  撮像装置、２００  ファインダユニット、２０６  第１の筐体、
２１５  第２の筐体、２１６  接眼枠、３０１  第１レンズ、
３０１ａ  第１レンズの第１の突起部、３０１ｂ  第１レンズの第２の突起部、
３０１ｘ  第１レンズのＸ方向の位置決め部、
３０１ｙ  第１レンズのＹ方向の位置決め部、
３０１ｚ  第１レンズのＺ方向の位置決め部、３０３  第３レンズ、
３０３ａ  第３レンズの第１の突起部、３０３ｂ  第３レンズの第２の突起部、
３０３ｘ  第３レンズのＸ方向の位置決め部、
３０３ｙ  第３レンズのＹ方向の位置決め部、
３０３ｚ  第３レンズのＺ方向の位置決め部、
４０１ａ  第１の筐体の第１レンズを付勢する弾性部、
４０３ａ  第１の筐体の第３レンズを付勢する弾性部、
５０１ｂ  第２の筐体の第１レンズを付勢する弾性部、
５０３ｂ  第２の筐体の第３レンズを付勢する弾性部、
５０５  第２の筐体の接眼枠を付勢する弾性
【図１】
2017146324.tif 000003
【図２】
2017146324.tif 000004
【図３】
2017146324.tif 000005
【図４】
2017146324.tif 000006
【図５】
2017146324.tif 000007
【図６】
2017146324.tif 000008
【図７】
2017146324.tif 000009
【図８】
2017146324.tif 000010
【図９】
2017146324.tif 000011
【図１０】
2017146324.tif 000012
【図１１】
2017146324.tif 000013
【図１２】
2017146324.tif 000014
【図１３】
2017146324.tif 000015
【図１４】
2017146324.tif 000016